(57)【要約】【課題】幕板に表示具保持部材を固着せずに、遊技機用表示具を幕板手前側に表示可能でありながら、幕板の開閉が容易に行なえる遊技機用表示具取付装置を提供する。【解決手段】遊技機90が複数台集まった遊技機島９に、遊技機用表示具８を付設するための遊技機用表示具取付装置であって、表示具８を保持するための表示具保持部材５が取着される被取付部材３と、被取付部材３を上下方向にスライド自在に保持するアーム部材２と、アーム部材２が取着されると共に遊技機島９の上部に配設された天板91に固着されるベース部材１と、を備え、さらに、被取付部材３を、遊技機島９の前面上部に配設された幕板92よりも手前側の表示位置Ｋと、幕板92の上方揺動状態での干渉を避ける退避位置とに、切換自在な位置切換手段６を具備したものである。【選択図】図１
2014064744.tif 000002
【特許請求の範囲】
【請求項１】
遊技機（90）が複数台集まった遊技機島（９）に、遊技機用表示具（８）を付設するための遊技機用表示具取付装置に於て、
上記表示具（８）を保持するための表示具保持部材（５）が取着される被取付部材（３）と、該被取付部材（３）を上下方向にスライド自在に保持するアーム部材（２）と、該アーム部材（２）が取着されると共に上記遊技機島（９）の上部に配設された天板（91）に固着されるベース部材（１）と、を備え、
さらに、上記被取付部材（３）を、上記遊技機島（９）の前面上部に配設された幕板（92）よりも手前側の表示位置（Ｋ）と、上記幕板（92）の上方揺動状態での干渉を避ける退避位置（Ｚ）とに、切換自在な位置切換手段（６）を具備したことを特徴とする遊技機用表示具取付装置。
【請求項２】
上記位置切換手段（６）は、上記ベース部材（１）に対して上記アーム部材（２）を前後方向スライド自在としたスライド機構（61）から成る請求項１記載の遊技機用表示具取付装置。
【請求項３】
上記位置切換手段（６）は、上記アーム部材（２）と上記被取付部材（３）を水平状軸心（Ｌ６）廻りに上下揺動させるように、上記アーム部材（２）を上記ベース部材（１）に枢着した枢着機構（62）から成る請求項１記載の遊技機用表示具取付装置。
【発明の詳細な説明】
【技術分野】
【０００１】
本発明は、遊技機用表示具取付装置に関する。
【背景技術】
【０００２】
従来、遊技機場の従業員や来客者等が遊技機の状態を容易に判別できるようにするため、又は、遊技機の名称等を宣伝するためのプレートやフラッグ等の遊技機用表示具は、遊技機島の幕板に固着された表示具保持部材に保持されていた（例えば、特許文献１参照）。
【先行技術文献】
【特許文献】
【０００３】
【特許文献１】特開２００９−１４５６５５号公報
【発明の概要】
【発明が解決しようとする課題】
【０００４】
しかし、幕板に固着された表示具保持部材は、表示具の形状等に合わせて、高さ位置を調整することができないといった問題があった。また、ビスや粘着テープを外して、表示具保持部材を移設すると、幕板に表示されているデザインに、跡や孔が残り、美観を損ねてしまうといった問題があった。
【０００５】
そこで、本発明は、幕板に表示具保持部材を固着せずに、遊技機用表示具を幕板手前側に表示可能でありながら、幕板の開閉が容易に行なえる遊技機用表示具取付装置の提供を目的とする。
【課題を解決するための手段】
【０００６】
上記目的を達成するために、本発明の遊技機用表示具取付装置は、遊技機が複数台集まった遊技機島に、遊技機用表示具を付設するための遊技機用表示具取付装置に於て、表示具を保持するための表示具保持部材が取着される被取付部材と、該被取付部材を上下方向にスライド自在に保持するアーム部材と、アーム部材が取着されると共に遊技機島の上部に配設された天板に固着されるベース部材と、を備え、さらに、被取付部材を、遊技機島の前面上部に配設された幕板よりも手前側の表示位置と、上記幕板の上方揺動状態での干渉を避ける退避位置とに、切換自在な位置切換手段を具備したものである。
また、位置切換手段は、上記ベース部材に対して上記アーム部材を前後方向スライド自在としたスライド機構から成る。
または、位置切換手段は、上記アーム部材と上記被取付部材を水平状軸心廻りに上下揺動させるように、上記アーム部材を上記ベース部材に枢着した枢着機構から成る。
【発明の効果】
【０００７】
本発明によれば、幕板に表示具保持部材を固着せずに、遊技機用表示具を幕板手前側に表示できる。したがって、幕板に汚れや跡がつかず、従来のようなビス取付孔も残らず、美観を損ねずに移設できる。また、容易かつスムーズに、表示具及び表示具保持部材の高さ位置を調整できる。表示具及び表示具保持部材の形状に合わせて、表示具を視認性の高い位置、或いは、安全・防災規定等の所定の高さ範囲内に、容易かつ迅速に配設できる。遊技機用表示具を幕板手前側に表示可能としながらも、幕板の開閉を容易かつ直ぐに行なうことができる。
【図面の簡単な説明】
【０００８】
【図１】本発明の第１実施形態を示す側面図である。
【図２】第１実施形態の表示位置状態の断面側面図である。
【図３】第１実施形態の退避位置状態の断面側面図である。
【図４】アーム部材とベース部材の要部横断面図である。
【図５】第２実施形態の表示位置状態の断面側面図である。
【図６】第２実施形態の退避位置状態の断面側面図である。
【図７】表示具保持部材の一例を示す側面図である。
【図８】表示具保持部材の他の例を示す断面側面図である。
【図９】表示具保持部材の別の例を示す断面平面図である。
【発明を実施するための形態】
【０００９】
以下、図示の実施形態に基づき本発明を詳説する。
本発明に係る遊技機用表示具取付装置は、図１に示すように、パチンコ機やスロットマシーン等の遊技機90が設置されている遊技機場に於て、従業員や来客者等が遊技機90の状態を容易に判別できるようにするため、又は、遊技機90の名称や特徴を広告宣伝するためのプレートやフラッグ等の遊技機用表示具８を、遊技機90が複数台集まった遊技機島９に付設するためのものである。
【００１０】
表示具８を保持するための表示具保持部材５が取着される正面視縦長矩形状の樹脂製の被取付部材３と、被取付部材３を上下方向にスライド自在に保持する樹脂製のアーム部材２と、アーム部材２が取着されると共に遊技機島９の上部に配設された天板（島上板）91に固着される樹脂製のベース部材１と、を備えている。
【００１１】
被取付部材３は、左右側壁部から左右外方へ突出する縦長凸条のレール部31が形成され上端部に下方抜け止め壁部38ａを有する本体部材38と、本体部材38の下端部に固着される上方抜け止め用のストッパー部材39と、を備えている。
アーム部材２は、前端部に被取付部材３を鉛直状に保持する保持部20を有し、保持部20は、上下方向に貫通する蟻溝状のガイド溝21を有している。
そして、本体部材38のレール部31を、アーム部材２の保持部20のガイド溝21に挿通させた後、本体部材38にストッパー部材39を固着して、保持部20に対して被取付部材３を上下方向スライド自在としている。
【００１２】
また、図２に示すように、被取付部材３を、幕板92よりも手前側の表示位置Ｋと、図３に示すように、幕板92の上方揺動状態（開状態）での干渉を避ける退避位置Ｚとに、切換自在な位置切換手段６を具備している。
【００１３】
位置切換手段６は、ベース部材１に対して、アーム部材２を前後方向スライド自在とするスライド機構61から成る。
図４に示すように、スライド機構61は、ベース部材１の左右側壁部から左右外方に突出すると共に前後方向に沿って形成される左右一対のガイド凸条部16，16と、アーム部材２の横断面横倒コの字状のスライド部29に形成された蟻溝状の案内溝部28と、から成る。
そして、ベース部材１の上部に、アーム部材２のスライド部29を外嵌状に取着させると共に、ベース部材１の左右一対のガイド凸条部16，16に、アーム部材２の案内溝部28を対応させ、ベース部材１に対してアーム部材２を前後方向水平状にスライド自在としている。
【００１４】
また、案内溝部28は、前後方向に所定間隔毎に、断続的に形成されている。
つまり、図２乃至図４に示すように、スライド部29には、左右側壁部29ｂ，29ｂを下端縁部から切り欠いて左右揺動状に弾性変形可能として前後方向に複数設けられる舌状弾性片部27から左右内方突出状に形成された係止凸部26，26と、上壁部29ａと、左右側壁部29ｂと、によって形成された蟻溝状の短案内溝28ａを、前後方向所定間隔毎に、かつ、前後方向に連通させて複数設けている。つまり、複数の短案内溝28ａによって、前後方向に断続的な案内溝部28を形成している。
【００１５】
また、係止凸部26は、差込組立用の案内勾配面26ａを有している。
天板91への取付の際に、先ず、ベース部材１のみを固着させ、ベース部材１のガイド凸条部16の上方位置から、スライド部29の案内勾配面26ａを接近させて、案内勾配面26ａにガイド凸条部16を摺接させつつ、舌状弾性片部27を弾性変形させて左右外方へ係止凸部26を逃がして、ガイド凸条部16が案内溝部28に入り込むようにして、上下方向に差込組立可能としている。このように、先にベース部材１だけを天板91に固着できるため、取付作業が容易となる。また、上壁部29ａにおいて係止凸部26の上方位置部位に、金型成型のための貫孔（抜き孔、逃がし孔）29ｇを形成している。アーム部材２を１部品（樹脂成型の一体品）で構成でき、部品点数の削減に貢献できる。
【００１６】
また、図２及び図３に於て、被取付部材３を上下方向の所定位置に複数段位置決め可能な上下位置決め機構を有している。
具体的には、被取付部材３は、裏面３ｂ側に上下方向所定間隔毎に複数配設された後方突出状の凸部30と、凸部30に形成され前方へ窪んだ（凹球面状の）球面座33と、を有している。
アーム部材２は、保持部20の（被取付部材３の裏面３ｂと対面状となる）後壁部20ｂに、Ｕ字状切欠部をもって前後揺動状に弾性変形可能に形成した（Ｕ字状の）上下位置決め用の舌片部23と、その舌片部23の舌先部に形成される前方突出状の半球状凸部23ａと、を備えている。
つまり、上下位置決め機構は、上下位置決め用の球面座33と、上下位置決め用の舌片部23に形成される半球状凸部23ａと、から成る。
また、図３に示すように、最下位の球面座33（33Ｙ）に、アーム部材２の半球状凸部23ａが嵌まり込んだ最上位置状態で、被取付部材３の下端３ｅが、天板91よりも高位置になるように設けている。
【００１７】
上下位置決め機構は、舌片部23の弾発力によって、半球状凸部23ａが、被取付部材３の球面座33に圧接し、被取付部材３と表示具保持部材５と表示具８の合計荷重による自重下降移動が阻止され、位置決めされる。
また、上下位置決め機構は、位置決め状態から、上記合計荷重よりも大きな外力（操作力）をもって、被取付部材３を上下方向に移動させると、舌片部23の弾性変形により、半球状凸部23ａが球面座33の周縁部33ａを乗り越えて離脱し、半球状凸部23ａが別（隣り）の球面座33の周縁部33ａを乗り越えて球面座33に入り込み（落ち込み）位置決めされる。
【００１８】
また、アーム部材２を、前方（手前）位置と後方（奥）位置とに位置決めする前後位置決め機構を備えている。
具体的には、アーム部材２は、スライド部29の上壁部29ａの内面側に、前後方向に所定間隔をもって２つ設けられた下方突出状の凸部24と、凸部24に形成され上方へ窪んだ（凹球面状の）球面座25と、を有している。
ベース部材１は、スライド部29の上壁部29ａと対面状となる水平面状壁部10に、Ｕ字状切欠部をもって上下揺動状に弾性変形可能に形成した（Ｕ字状の）舌片部13と、その舌片部13の舌先部に形成される上方突出状の半球状凸部13ａと、を備えている。
つまり、前後位置決め機構は、前後位置決め用の球面座25と、前後位置決め用の舌片部13に形成される半球状凸部13ａと、から成る。
【００１９】
そして、図２に示すように、アーム部材２の後方側球面座25（25Ａ）に、ベース部材１の半球状凸部13ａが入り込むと、アーム部材２に保持されている被取付部材３が幕板92よりも手前側の表示位置Ｋに配設される。
図３に示すように、アーム部材２の前方側球面座25（25Ｂ）に、ベース部材１の半球状凸部13ａが入り込むと、アーム部材２に保持されている被取付部材３が、幕板92の枢着軸心Ｌ９よりも後方側の退避位置Ｚに配設される。
【００２０】
次に、図５及び図６に他の実施形態を示す。
被取付部材３と、アーム部材２と、ベース部材１と、上下位置決め機構と、を備え、位置切換手段６が、アーム部材２及び被取付部材３を、水平状軸心Ｌ６廻りに上下揺動させるようにアーム部材２をベース部材１に枢着した枢着機構62から成るものである。
【００２１】
アーム部材２は、保持部20と、保持部20と一端（前端）部が連結され他端（後端）部がベース部材１に枢着される揺動アーム部22と、を有している。
揺動アーム部22は、図５に示す非揺動状態（基準平面22ａが水平面状態）で、保持部20に保持した被取付部材３が、表示位置Ｋに配設されるように設けている。
【００２２】
枢着機構62は、アーム部材２とベース部材１を枢着軸部材を介して枢着する構造や、アーム部材２から左右方向に突出する軸部を、ベース部材１に形成した枢着孔に差し込んで枢着する構造、或いは、ベース部材１から左右方向に突出した軸部を、アーム部材２に形成した枢着孔に差し込んで枢着する構造等、何れでも良い。
【００２３】
また、図５に示す非揺動状態で、被取付部材３の表て面（被取付面）３ａが、鉛直面状となるように、アーム部材２を支持する支持機構を備えている。
支持機構は、揺動アーム部22に設けられ非揺動状態で水平状の当り面22ｂと、ベース部材１に水平状軸心Ｌ６よりも前方位置に設けられ天板91と平行状（水平状）の支持面12と、から成り、揺動アーム部22の当り面22ｂがベース部材１の支持面12に当接し、アーム部材２を、それ以上揺動させず、被取付部材３の表て面３ａを鉛直面状に支持する。
【００２４】
また、図６に示す揺動状態で、基準平面22ａと水平面（天板91）の間が、所定の揺動角度θを越えてアーム部材２が揺動するのを阻止する後方倒れ防止機構を備えている。
後方倒れ防止機構は、揺動アーム部22の他端部側に設けられた当り部22ｄと、ベース部材１に水平状軸心Ｌ６よりも後方位置に設けられ天板91と平行状（水平状）の後方ストッパー面15と、から成り、アーム部材２の当り部22ｄがベース部材１の後方ストッパー面15に当接して、所定の揺動角度θを越えて後方へ倒れないように規制（保持）する。なお、揺動角度θが１００度を越えるような揺動、好ましくは９５度を越えるような揺動を規制するように設ける。このように設けることで、幕板92の揺動状態での干渉が避けられると共に、幕板92を閉じた後、容易に被取付部材３又はアーム部材２を使用者が把持でき、迅速に元の表示位置Ｋにすることが可能となる。また、表示具８及び表示具保持部材５を取着させたまま、表示具８を落下させずに、揺動可能となる。また、アーム部材２が９０度以上揺動するように設けるのが好ましい。
【００２５】
ここで、図２と図３、及び、図５と図６では図示省略したが、表示具保持部材５は、例えば、図７に示すように、旗や幟等のフラッグである表示具８の柄81が抜き差し自在な差込孔51を有し、差込孔51の軸心（柄の軸心）を水平状の枢結軸心Ｌ５廻りの所定角度毎に複数段に位置切換自在な傾倒角度調整機構（ノッチ用ボールと、ボール押しバネと、複数のボール受け凹部）を備えたものである。
また、図８に示すように、表示具８の柄81が抜き差し自在に差し込まれると共に孔軸心の傾斜角度が各々異なる複数の差込口52，52，52と、柄81の下端部が差し込まれる（支持する）１つの共通受け孔部53と、を有し、複数本のフラッグを保持可能なものである。
また、図９に示すように、プレートである表示具８の基端縁部85が差し込まれると共に自由状態でその基端縁部85の厚みより小さい開口寸法を有するスリット状の把持部55を備えたものである。把持部55の弾発的な復元力によって、表示部８の基端縁部85を挟圧保持するものである。また、図示省略するが滑落を防止する当り部を有している。
なお、表示具保持部材５は、表示具８が落下しないように保持可能であれば形状や機構は自由である。
【００２６】
また、被取付部材３への表示具保持部材５の取着構造は、磁力による着脱自在や、両面粘着テープ等の粘着材（図示省略）による取着等自由である。
例えば、被取付部材３の表て面（被取付面）３ａに図示省略の金属製薄板部材を固着し、表示具保持部材５の裏面（取着面）５ｂ側に図示省略の磁石（磁性）部材を固着して、磁力にて着脱自在に取着する。様々な表示具保持部材５を容易かつ迅速に入れ替えて使用でき、さらに、被取付面３ａ上において位置変更も容易に行なうことができる。
【００２７】
なお、幕板92は、水平状の枢着軸心Ｌ９廻りに図示省略のヒンジ部材等によって上下揺動可能に設けられ、遊技機島９の上部に設けられる収納空間99を前方開口可能とし、収納空間99内の遊技媒体搬送装置等の遊技機支援補助装置の保守・修理等を前方から行なえるようにしたものである。天板（島上板）91は、その収納空間99を施蓋状に覆うものである。
【００２８】
次に、本発明の遊技機用表示具取付装置の使用方法（作動）について説明する。
図１乃至図４の実施形態は、アーム部材２の後方側球面座25（25Ａ）に、ベース部材１の半球状凸部13ａを対応させると、アーム部材２に保持されている被取付部材３が表示位置Ｋに配設される。また、アーム部材２によって、被取付部材３は、表て面３ａが鉛直面状となるように支持される。
【００２９】
使用者が被取付部材３を把持して上下方向スライドさせる操作力を付与すると、被取付部材３は、幕板92よりも手前側で複数段階（５段階）の高さ位置のいずれかに調整される。そして、表示具８が、所望の高さ位置（安全基準や防災基準等の規定の高さ範囲内の位置や、従業員や来客者が視認しやすい高さ位置）に、表示具保持部材５を被取付部材３に取着する。或いは、表示具８及び表示具保持部材５を被取付部材３に取着した状態で上下位置調整して、所望の高さ位置に配置する。このように位置調整すると、視認性の確認がより容易で、位置決めの決定をより迅速に行なうことができる。
【００３０】
また、遊技機島９の収納空間99内の遊技媒体搬送装置の詰まりによる停止を復帰させる等の理由により、幕板92を上方揺動させて収納空間99を前方開口状にする場合は、被取付部材３の最下位の球面座33（33Ｙ）に、アーム部材２の半球状凸部23ａを対応させ、被取付部材３の下端３ｅを、天板91よりも高位置になるようにする。その後、位置切換手段６（スライド機構61）により、アーム部材２を後方へスライド移動させ、アーム部材２の前方側球面座25（25Ｂ）に、ベース部材１の半球状凸部13ａを対応させる。アーム部材２に保持されている被取付部材３は、幕板92の枢着軸心Ｌ９よりも後方側の退避位置Ｚに配設され、上方揺動状態（開状態）の幕板92との干渉が避けられる。
【００３１】
次に、図５及び図６の実施の形態は、アーム部材２の当り面22ｂを、ベース部材１の支持面12に当接させると、アーム部材２に保持されている被取付部材３が表示位置Ｋに配設されると共に、アーム部材２は被取付部材３の表て面３ａを鉛直面状に支持する。また、上下位置決め機構によって、表示具８と表示具保持部材５は所望の高さ位置に調整される。
【００３２】
そして、幕板92を上方揺動させる場合は、位置切換手段６である枢着機構62により、表示具８及び表示具保持部材５が取着されたままの被取付部材３と、アーム部材２と、を水平状軸心Ｌ６廻りに上方へ揺動させて、幕板92の上方揺動状態での干渉が避けられる退避位置Ｚに表示位置Ｋから位置切換される。容易かつ直ぐに幕板92を開状態にすることができる。また、幕板92を閉じた後は容易に表示具８を元の位置に配置できる。
【００３３】
なお、本発明は、設計変更可能であって、上下決め機構において、アーム部材２の保持部20に球面座33を１つ設け、被取付部材３に半球状凸部23ａ（舌片部23）を複数設けても良い。また、前後位置決め機構において、ベース部材１に球面座25を１つ設け、アーム部材２のスライド部29に半球状凸部13ａ（舌片部13）を複数設けても良い。被取付部材３の形状は正面視長円形や正方形状等自由である。
【００３４】
以上のように、本発明の遊技機用表示具取付装置は、遊技機90が複数台集まった遊技機島９に、遊技機用表示具８を付設するための遊技機用表示具取付装置に於て、表示具８を保持するための表示具保持部材５が取着される被取付部材３と、被取付部材３を上下方向にスライド自在に保持するアーム部材２と、アーム部材２が取着されると共に遊技機島９の上部に配設された天板91に固着されるベース部材１と、を備え、さらに、被取付部材３を、遊技機島９の前面上部に配設された幕板92よりも手前側の表示位置Ｋと、幕板92の上方揺動状態での干渉を避ける退避位置Ｚとに、切換自在な位置切換手段６を具備したので、幕板92に表示具保持部材５や表示具８を固着せずに、表示具８を幕板92の手前側に表示できる。したがって、幕板92に汚れや跡がつかず、従来のようなビス取付孔が残らず、美観を損ねずに移設できる。また、表示具８及び表示具保持部材５の形状に合わせて、表示具８を視認性の高い位置や、所定の高さ範囲内に、容易かつ迅速に配設できる。また、表示具８を天板91（島上）よりも高い位置に表示できる。遊技機用表示具８を幕板92の手前側に表示可能としながらも、幕板92の開閉を容易かつ直ぐに行なうことができる。また、遊技機の新旧入替えや遊技場の内装変更等に対応させて、幕板92のデザイン画やデザインシートを貼り替え変更する際、遊技機用表示具取付装置を取り外す必要が無く、変更後に、再び、表示具保持部材を固着する必要も無く、多大な時間と労力を削減できる。
【００３５】
また、位置切換手段６は、ベース部材１に対してアーム部材２を前後方向スライド自在としたスライド機構61から成るので、表示具８や表示具保持部材５を被取付部材３に取着させたまま、容易かつ迅速に退避位置Ｚに移動させることができる。幕板92を閉じた後に、表示具８を元の高さ位置に容易に戻す（復帰させる）ことができる。直感的な操作で迅速に退避位置Ｚに移動させることができる。
【００３６】
また、位置切換手段６は、アーム部材２と被取付部材３を水平状軸心Ｌ６廻りに上下揺動させるように、アーム部材２をベース部材１に枢着した枢着機構62から成るので、表示具８や表示具保持部材５を被取付部材３に取着させたまま、容易かつ迅速に退避位置Ｚに移動させることができる。幕板92を閉じた後に、表示具８を元の高さ位置に容易に戻す（復帰させる）ことができる。直感的な操作で迅速に退避位置Ｚに移動させることができる。簡素な構成で製作コストや組立コストを軽減できる。
【符号の説明】
【００３７】
１  ベース部材
２  アーム部材
３  被取付部材
５  表示具保持部材
６  位置切換手段
８  表示具
９  遊技機島
61  スライド機構
62  枢着機構
90  遊技機
91  天板
92  幕板
Ｌ６  水平状軸心
Ｋ  表示位置
Ｚ  退避位置
【図１】
2014064744.tif 000003
【図２】
2014064744.tif 000004
【図３】
2014064744.tif 000005
【図４】
2014064744.tif 000006
【図５】
2014064744.tif 000007
【図６】
2014064744.tif 000008
【図７】
2014064744.tif 000009
【図８】
2014064744.tif 000010
【図９】
2014064744.tif 000011